(57)【要約】【課題】顧客に不快感を与えることなく正確に指静脈を検出する指静脈検出装置を提供する。【解決手段】指の生体的な特徴である指静脈を検出面５を介して検出する指静脈検出部４と、検出面５を覆い、この検出面を面方向に開閉する検出面シャッタ６とを備えた指静脈検出装置３の検出面シャッタ６を自動制御により開閉する。【選択図】        図３
2007080121.tif 000002
【特許請求の範囲】
【請求項１】
指の生体的な特徴を検出面を介して検出する指情報検出部と、前記検出面を覆い、該検出面を面方向に開閉する検出面シャッタとを備えた指情報検出装置において、
前記検出面シャッタを自動制御により開閉することを特徴とする指情報検出装置。
【請求項２】
指の生体的な特徴を検出面を介して検出する指情報検出部と、前記検出面を覆い、該検出面を面方向に開閉する検出面シャッタとを備えた指情報検出装置において、
前記検出面の近傍の、前記検出面シャッタの開作動方向の下流に、前記検出面シャッタを開閉するための開閉スイッチを設けたことを特徴とする指情報検出装置。
【請求項３】
指の生体的な特徴を検出面を介して検出する指情報検出部を備えた指情報検出装置において、
前記検出面を覆い、該検出面を回転により開閉する一対のシャッタ扉を設け、
該一対のシャッタ扉が、該一対のシャッタ扉の合せ部を押圧することにより開作動し、該押圧を解除することにより閉作動することを特徴とする指情報検出装置。
【発明の詳細な説明】
【技術分野】
【０００１】
本発明は、生体の特徴、特に指静脈や指紋等の指の特徴を検出する指情報検出装置に関する。
【背景技術】
【０００２】
従来の現金自動預払機は、現金自動預払機の前面パネルに指情報検出装置として指の生体的な特徴としての指紋を指情報として用いた指紋検出装置を実装し、取引カードとしてのＩＣカードに顧客の指紋データを登録しておき、指紋検出部で読取ったイメージデータから指紋データを生成し、生成した指紋データとＩＣカードから読取った指紋データとを現金自動預払機に設けた照合部で照合して本人確認を行っている。
【０００３】
また、現金自動預払機と通信回線を介して接続するホストコンピュータの指紋データベースに暗証番号に対応させて顧客の指紋データを登録しておき、現金自動預払機は指紋検出部で読取ったイメージデータから生成した指紋データと顧客が入力した暗証番号とをホストコンピュータに送信し、ホストコンピュータが暗証番号を基に登録されている顧客の指紋データと受信した指紋データとを照合して取引カードを用いずに本人確認を行っている。
【０００４】
更に、ホストコンピュータの指紋データベースに口座番号に対応させて顧客の指紋データを登録しておき、現金自動預払機が取引カードから読取った顧客の口座番号をホストコンピュータへ送信し、ホストコンピュータは口座番号を基に指紋データベースから該当する指紋データを読出してこれを現金自動預払機へ送信し、現金自動預払機は指紋検出部で読取ったイメージデータから生成した指紋データと受信した指紋データとを照合して本人確認を行っている（例えば、特許文献１参照。）。
【０００５】
このような場合に用いる従来の指紋検出装置は、指紋検出部を覆ってその検出面を保護するスライド式のシャッタを設け、該シャッタにバネを取付け、シャッタを指の先端で押し上げるとシャッタがシャッタ溝をスライドして検出面が露出し、シャッタを開ききった状態にすると指の第１関節までの指紋画像の検出が可能となり、指を離すとバネにより自動的に閉じるように構成して検出面の汚染や破損の発生を防止している（例えば、特許文献２参照。）。
【特許文献１】特開平１０−１３４２２９号公報（主に第３頁段落０００９−段落００１１、第４頁段落００１６−段落００１８および第５頁段落００２２−段落００２３、、第１図−第３図）
【特許文献２】特開２００２−１５７５８６号公報（第３頁段落０００７および第４頁段落００３１−段落００３４、第３図）
【発明の開示】
【発明が解決しようとする課題】
【０００６】
しかしながら、上述した従来の特許文献２の技術においては、シャッタを指の先端で押し上げてシャッタを開作動させ、シャッタを開ききった状態として指紋検出部により指の第１関節までの指紋画像を検出しているため、指の長い顧客の場合や顧客の爪が伸びていた場合等には指の先端から第１関節までの長さが変化して所定の領域の指紋画像を検出できなくなり、指や爪の長短により指紋データの照合時に誤認識が生じることがあり、顧客に不快感を与えてしまうという問題がある。
【０００７】
このことは、顧客が爪を伸ばしたり、付け爪をつけたりした爪の長い女性の場合は、指の先端（爪の先端）から第１関節までの長さが長くなるので前記の問題が顕著になる他、爪の破損を懸念するために指の先端の腹側でシャッタを押すと検出面から指が離れすぎてしまうことがあり、正確な指紋データを検出することができなくなる虞がある。
このため、シャッタを取外して検出面を露出した状態にすると、指紋検出装置の未使用時における検出面への埃の付着や、いたずらによる皮脂の付着による検出面の汚れや、いたずらによる検出面の傷つき等が生じたりして指紋データの照合時に誤認識が生じて顧客に不快感を与えてしまうという問題がある。
【０００８】
上記のことは、指の生体的な特徴としての指静脈を指情報として用いる場合も同様である。
本発明は、上記の問題点を解決するためになされたもので、顧客に不快感を与えることなく正確に指情報を検出する手段を提供することを目的とする。
【課題を解決するための手段】
【０００９】
本発明は、上記課題を解決するために、指の生体的な特徴を検出面を介して検出する指情報検出部と、前記検出面を覆い、該検出面を面方向に開閉する検出面シャッタとを備えた指情報検出装置において、前記検出面シャッタを自動制御により開閉することを特徴とすることを特徴とする。
【発明の効果】
【００１０】
これにより、本発明は、顧客は検出面シャッタの開作動により自動的に露出した指情報検出部の検出面に顧客の指情報を照合する指の指情報を入力することができ、指や爪の長短に関わらずに指情報の検出を正確に行うことが可能になり、顧客に不快感を与えることを防止することができると共に、検出面シャッタを閉め忘れることがなくなり、未使用時における検出面の汚れや、傷つきを防止して指静脈の検出時における誤認識を防止することができるという効果が得られる。
【発明を実施するための最良の形態】
【００１１】
以下に、図面を参照して本発明による指情報検出装置の実施例について説明する。
【実施例１】
【００１２】
図１は実施例１の現金自動預払機を示す斜視図、図２は実施例１の指静脈検出装置を示す斜視図、図３は実施例１の指静脈検出装置の作動を示す説明図である。
なお、図２は図１のＡ部を拡大して示した図である。
図１において、１は自動取引装置としての現金自動預払機であり、銀行等の金融機関や郵政公社等（金融機関等という。）に設置された図示しないホストコンピュータに接続して金融機関等の支店や郵便局、コンビニエンスストア等の店舗に設置されており、ＬＣＤ等の表示画面とタッチパネル等の位置信号検出手段との組合せで構成された顧客操作部２に取引選択画面等の各種の取引画面を表示して位置信号検出手段により顧客からの入力を受付け、顧客との間で現金の取引を自動で行う機能を有している。
【００１３】
３は指情報検出装置としての指静脈検出装置であり、顧客の生体的な特徴を示す指情報としての指静脈を検出する機能を有しており、図２に２点鎖線で示す指情報検出部としての指静脈検出部４と、指静脈検出部４の検出面５を覆い、現金自動預払機１のパネル１ａと指静脈検出部４との間に配置され、検出面５を覆うスライド式のシャッタである図２に破線で示す検出面シャッタ６と、検出面シャッタ６を検出面５の面方向、つまり図２に矢印Ｂで示す検出面シャッタ６の開方向とその反対方向に開閉する駆動機構７（図３参照）、および検出面シャッタ６の開作動後に検出面５を外部に露出させるためのパネル１ａに設けられた窓部８とにより構成される。
【００１４】
本実施例の駆動機構７は、モータやソレノイド等の電動駆動源とラックアンドピニオン機構やリンク機構等の伝達機構とで構成されており、実装された装置、本実施例では現金自動預払機１の図示しない制御部から送られる開作動信号または開作動信号を基に現金自動預払機１から供給される開作動電力により検出面シャッタ６を矢印Ｂ方向に移動させて開作動させ、現金自動預払機１からの閉作動信号または閉作動電力により矢印Ｂとは反対方向に検出面シャッタ６を移動させて開作動させる。
【００１５】
この場合の閉作動の判定は、現金自動預払機１の制御部が、指静脈検出部４が顧客の指静脈を検出できなくなったことを検知する等により判定する。
このようにして、本実施例の指静脈検出装置３の検出面シャッタ６が自動制御され、顧客は検出面シャッタ６が自動的に開作動したときに、図３に示すように窓部８に露出している指静脈検出部４の検出面５上に指静脈を照合する指をかざして顧客の指静脈を入力するので、爪の長い顧客であっても爪を破損することはなく、指や爪の長短に関わらずに指静脈の検出を正確に行うことができると共に、未使用時には検出面シャッタ６が閉じているので、検出面への埃の付着および、いたずらによる皮脂の付着や傷つきが生じることはない。
【００１６】
上記の指静脈検出装置３を現金自動預払機１に実装した場合の指静脈認証処理の作動について、図４に示すフローチャートを用い、Ｓで示すステップに従って説明する。
Ｓ１、現金自動預払機１は、その顧客操作部２の表示画面に取引選択画面を表示して待機している。
取引選択画面には、取引選択ボタンの押下を促す旨の文言と出金取引のための「お引き出し」ボタンおよび入金取引のための「お預け入れ」ボタン、振込取引のための「お振り込み」ボタン、口座残高を照会する残高照会取引のための「残高照会」ボタンおよび通帳に未記入の取引データを記帳する通帳記帳取引のための「通帳記帳」ボタン等の取引を選択するための取引選択ボタンが表示されている。
【００１７】
本実施例では、顧客は顧客操作部２の表示画面から顧客が所望する取引の取引選択ボタンを押下する。
Ｓ２、顧客の選択した取引を位置検出手段からの位置信号等により認識した現金自動預払機１は、認識した取引が指静脈認証が必要な取引か否かを判定し、指静脈認証が必要な取引の場合はステップＳ３へ移行する。指静脈認証が不要な取引の場合はステップＳ９へ分岐して選択された取引の取引処理を実行する。この場合の取引処理の作動は通常の場合と同様であるのでその説明を省略する。
【００１８】
選択された取引の取引処理の実行を終えた現金自動預払機１はその取引処理を終了させ、ステップＳ１へ戻って顧客操作部２の表示画面に取引選択画面を表示して待機する。
Ｓ３、顧客の選択した取引を指静脈認証が必要な取引と認識した現金自動預払機１は、指静脈検出装置３へ開作動信号を送出してその検出面シャッタ６を矢印Ｂ方向に開作動させて指静脈検出部４の検出面５を自動的に露出させると共に、顧客操作部２の表示画面に予め指静脈を登録してある顧客の指の指静脈の入力を促す旨の文言を表示した指静脈入力依頼画面を表示する。
【００１９】
顧客は、検出面シャッタ６が自動的に開作動することにより窓部８を視認し、そこに露出している検出面５上に指静脈を照合する指をかざして顧客の指静脈を入力する。
このとき、指静脈検出装置３は指静脈検出部４によって顧客の指静脈を検出し、その指静脈データを生成する。
Ｓ４、指静脈データが生成されたことを認識した現金自動預払機１は、指静脈検出装置３によって生成した指静脈データと予め登録されている指静脈データとを照合する。
【００２０】
Ｓ５、現金自動預払機１は、照合結果が一致した場合は、顧客を認証してステップＳ８へ移行する。照合結果が不一致の場合はステップＳ６へ移行する。
Ｓ６、照合結果が不一致であることを認識した現金自動預払機１は、その不一致回数が予め設定された所定の回数未満の場合は、ステップＳ４へ戻って指静脈の再検出を行う。  不一致回数が所定の回数以上の場合はステップＳ７へ移行する。
【００２１】
Ｓ７、不一致回数が所定の回数以上と判定した現金自動預払機１は、顧客操作部２の表示画面に指静脈が不一致であった旨の文言および検出面５上から指を離すことを促す旨の文言等を表示した指静脈不一致通知画面を表示する。
顧客は表示された内容を確認し、検出面５上から指を退避させる。
これを指静脈検出装置３によって検知した現金自動預払機１は、閉作動信号を指静脈検出装置３へ送り、検出面シャッタ６を自動的に閉作動させて検出面５を検出面シャッタ６で自動的に覆い、指静脈認証処理を終了させてステップＳ１へ戻り、顧客操作部２の表示画面に取引選択画面を表示して待機する。
【００２２】
Ｓ８、照合結果が一致したことにより顧客を認証した現金自動預払機１は、顧客操作部２の表示画面に指静脈認証が終了した旨の文言および検出面５から指を離すことを促す旨の文言等を表示した指静脈認証通知画面を表示する。
顧客は表示された内容を確認し、検出面５上から指を退避させる。
これを指静脈検出装置３によって検知した現金自動預払機１は、閉作動信号を指静脈検出装置３へ送って検出面シャッタ６を自動的に閉作動させ、検出面５を検出面シャッタ６で自動的に覆ってステップＳ９へ移行する。
【００２３】
Ｓ９、現金自動預払機１は、上記ステップＳ２で説明したと同様にして選択された取引の取引処理を実行し、その実行を終えるとステップＳ１へ戻って顧客操作部２の表示画面に取引選択画面を表示して待機する。
なお、上記ステップＳ７の指静脈不一致通知画面やステップＳ８の指静脈認証通知画面に、表示内容を確認したことを指示するための「確認」ボタンを表示して顧客に押下させるようにしてもよい。このようにすれば顧客は検出面５から自然に指を退避させることができ、検出面シャッタ６の閉作動時の不測の事態を未然に防止することが可能になる。
【００２４】
また、上記ステップＳ８において、指静脈の検出後に検出面シャッタ６を閉作動させるとして説明したが、検出面シャッタ６を閉作動させる時期は前記に限らず、ステップＳ９における選択された取引の取引処理の終了後に検出面シャッタ６を閉作動させるようにしてもよい。
以上説明したように、本実施例では、指静脈検出部の検出面を覆う検出面シャッタを自動制御により自動的に開閉するようにしたことによって、顧客は検出面シャッタの開作動により窓部に自動的に露出した指静脈検出部の検出面を容易に視認して顧客の指静脈を照合する指を検出面にかざして顧客の指静脈を入力することができ、指や爪の長短に関わらずに指静脈の検出を正確に行うことが可能になり、顧客に不快感を与えることを防止することができると共に、検出面シャッタを閉め忘れることがなくなり、未使用時における埃の付着や、いたずらによる皮脂の付着等による検出面の汚れや、いたずらによる検出面の傷つき等を防止して指静脈の検出時における誤認識を防止することができる。
【００２５】
なお、本実施例の検出面シャッタの検出面と対向する面に、刷毛またはブラシを設けるようにしてもよい。このようにすれば、指静脈の検出時に、誤って検出面に指を触れた場合の皮脂等による汚れを検出面シャッタの閉作動時に拭取ることができ、検出面を常に清浄な状態に保って指静脈の検出時における誤認識を防止することができる。
【実施例２】
【００２６】
図５は実施例２の指静脈検出装置を示す斜視図、図６は実施例２の指静脈検出装置の作動を示す説明図である。
なお、上記実施例１と同様の部分は、同一の符号を付してその説明を省略する。
図５において、１１は開閉スイッチであり、検出面５の検出面シャッタ６の開作動方向（矢印Ｂ方向）の下流の検出面５の近傍に設けられた電気スイッチであって、押下により検出面シャッタ６が駆動機構７により自動的に開作動し、押下を解除したときに検出面シャッタ６が駆動機構７により自動的に閉作動するよう構成されている。
【００２７】
本実施例の開閉スイッチ１１は、図６に示すように顧客が開閉スイッチ１１を、指静脈を照合する指の指先で押下したときに指静脈の照合に適正な位置となる位置に設置されている。
このように構成すれば、指静脈を照合する指の指先で開閉スイッチ１１を押下させることにより照合する指を照合に適した位置に自動的に固定することができ、指静脈の検出を常に適正な位置で行うことが可能になる。
【００２８】
上記の開閉スイッチ１１を設けた指静脈検出装置３を現金自動預払機１に実装した場合の指静脈認証処理の作動について、図６に示すフローチャートを用い、ＳＡで示すステップに従って説明する。
本実施例のステップＳＡ１、ＳＡ２の作動は、上記実施例１のステップＳ１、Ｓ２の作動と同様であるのでその説明を省略する。
【００２９】
ＳＡ３、顧客の選択した取引を指静脈認証が必要な取引と認識した現金自動預払機１は、顧客操作部２の表示画面に予め指静脈を登録してある顧客の指の指先による開閉スイッチ１１の押下を促す旨の文言を表示した指静脈入力依頼画面を表示する。
顧客は窓部８の近傍に設けられた開閉スイッチ１１を指静脈を照合する指の指先で押下する。
【００３０】
これにより、開閉スイッチ１１がＯＮとなって指静脈検出装置３の駆動機構７へ開作動電力が供給され、検出面シャッタ６を矢印Ｂ方向に開作動させて指静脈検出部４の検出面５を自動的に露出させる。
このとき、指静脈検出装置３は指静脈検出部４によって顧客の指静脈を検出し、その指静脈データを生成する。
【００３１】
その後のステップＳＡ４〜ＳＡ６の作動は、上記実施例１のステップＳ４〜Ｓ６の作動と同様であるのでその説明を省略する。
ＳＡ７、不一致回数が所定の回数以上と判定した現金自動預払機１は、顧客操作部２の表示画面に指静脈が不一致であった旨の文言および開閉スイッチ１１から指を離すことを促す旨の文言等を表示した指静脈不一致通知画面を表示する。
【００３２】
顧客は表示された内容を確認し、開閉スイッチ１１から指を離す。
これにより、開閉スイッチ１１がＯＦＦとなって指静脈検出装置３の駆動機構７へ閉作動電力が供給され、検出面シャッタ６を矢印Ｂとは反対方向に閉作動させて指静脈検出部４の検出面５を検出面シャッタ６で自動的に覆い、指静脈認証処理を終了させてステップＳ１へ戻り、顧客操作部２の表示画面に取引選択画面を表示して待機する。
【００３３】
ＳＡ８、照合結果が一致したことにより顧客を認証した現金自動預払機１は、顧客操作部２の表示画面に指静脈認証が終了した旨の文言および開閉スイッチ１１から指を離すことを促す旨の文言等を表示した指静脈認証通知画面を表示する。
顧客は表示された内容を確認し、開閉スイッチ１１から指を離す。
これにより、上記ステップＳＡ７と同様に検出面シャッタ６が閉作動し、検出面５を検出面シャッタ６で自動的に覆ってステップＳＡ９へ移行する。
【００３４】
その後のステップＳＡ９の作動は、上記実施例１のステップＳ９の作動と同様であるのでその説明を省略する。
以上説明したように、本実施例では、指静脈検出部の検出面を覆う検出面シャッタを開閉スイッチのＯＮ、ＯＦＦにより自動的に開閉するようにしたことによって、顧客は開閉スイッチの押下による検出面シャッタの開作動により窓部に自動的に露出した指静脈検出部の検出面に顧客の指静脈を照合する指を自動的にかざして顧客の指静脈を入力することができるので、上記実施例１と同様の効果が得られると共に、開閉スイッチを検出面シャッタの開作動方向の下流の検出面の近傍に設けるようにしたことにより、顧客が指静脈を照合する指の指先で開閉スイッチを押下したときに、照合する指を検出面の照合に適した位置に自動的に固定することができ、指静脈の検出を常に適正な位置で行うことができる。
【実施例３】
【００３５】
図８は実施例３の指静脈検出装置を示す斜視図、図９は実施例３の指静脈検出装置の断面を示す説明図、図１０は実施例３の指静脈検出装置の作動を示す説明図である。
なお、上記実施例１と同様の部分は、同一の符号を付してその説明を省略する。
図８、図９において、２１はシャッタ扉であり、図９に示すように現金自動預払機１のパネル１ａに埋め込まれた指静脈検出部４の検出面５を覆う回転式のシャッタであって、検出面５の周囲を覆う箱状に形成された保護カバー２２のパネル１ａの反対側の開口を開閉する。
【００３６】
保護カバー２２は、指静脈を検出する指の長さ方向の一の側面２２ａが指の幅より大きく切欠かれており、指を検出面５にかざすときに指が検出面５と略平行になるように構成されている。
一対のシャッタ扉２１は、それぞれの指の長さ方向の両端面の略中央部に形成された回転支点２３を保護カバー２２の一の側面２２とこれに対向する他の側面２２ｂに設けられた支持穴２４に遊嵌させて回転可能に支持され、図９に示すようにその合せ部２５の反対側の端部にはパネル１ａに一端を係止された引張コイルスプリング等のバネ部材２６の他端が固定されており、常時はバネ部材２６の付勢力に保護カバー２２の開口の端面をストッパとして合せ部２５が合わされた状態、つまり閉じた状態となっている。
【００３７】
これにより、一対のシャッタ扉２１は、その合せ部２５を指で押圧することにより自動的に開作動し、この押圧を解除すること、つまり指を離すことにより自動的に閉作動する回転式のシャッタが構成される。
このように構成すれば、図１０に示すように合せ部２５を押圧して開作動させたときに、開いたシャッタ扉２１がガイドとして作用し、照合する指を照合に適した位置に固定することができる。
【００３８】
上記の一対のシャッタ扉２１を設けた指静脈検出装置３を現金自動預払機１に実装した場合の指静脈認証処理の作動について、図１１に示すフローチャートを用い、ＳＢで示すステップに従って説明する。
本実施例のステップＳＢ１、ＳＢ２の作動は、上記実施例１のステップＳ１、Ｓ２の作動と同様であるのでその説明を省略する。
【００３９】
ＳＢ３、顧客の選択した取引を指静脈認証が必要な取引と認識した現金自動預払機１は、顧客操作部２の表示画面に予め指静脈を登録してある顧客の指の腹によるシャッタ扉２１の合せ部２５の押下を促す旨の文言を表示した指静脈入力依頼画面を表示する。
顧客はシャッタ扉２１の合せ部２５を指静脈を照合する指の腹で押下する。
これにより、シャッタ扉２１の合せ部２５が、図１０に示すようにバネ部材２６の付勢力に抗して回転支点２３を中心に矢印Ｃ方向に回転して開作動し、合せ部２５が開放されて指静脈検出部４の検出面５が自動的に露出する。
【００４０】
このとき、指静脈検出装置３は指静脈検出部４によって顧客の指静脈を検出し、その指静脈データを生成する。
その後のステップＳＢ４〜ＳＢ６の作動は、上記実施例１のステップＳ４〜Ｓ６の作動と同様であるのでその説明を省略する。
ＳＢ７、不一致回数が所定の回数以上と判定した現金自動預払機１は、顧客操作部２の表示画面に指静脈が不一致であった旨の文言およびシャッタ扉２１の合せ部２５から指を離すことを促す旨の文言等を表示した指静脈不一致通知画面を表示する。
【００４１】
顧客は表示された内容を確認し、シャッタ扉２１の合せ部２５から指を離す。
これにより、シャッタ扉２１が、バネ部材２６の付勢力により回転支点２３を中心に矢印Ｃとは反対方向に回転して閉作動し、シャッタ扉２１の端部が保護カバー２２の開口の端面に当接して停止し、合せ部２５が閉じられて指静脈検出部４の検出面５がシャッタ扉２１で自動的に覆われる。これを検知した現金自動預払機１は、指静脈認証処理を終了させてステップＳ１へ戻り、顧客操作部２の表示画面に取引選択画面を表示して待機する。
【００４２】
ＳＢ８、照合結果が一致したことにより顧客を認証した現金自動預払機１は、顧客操作部２の表示画面に指静脈認証が終了した旨の文言およびシャッタ扉２１の合せ部２５から指を離すことを促す旨の文言等を表示した指静脈認証通知画面を表示する。
顧客は表示された内容を確認し、シャッタ扉２１の合せ部２５から指を離してシャッタ扉２１の押圧を解除する。
【００４３】
これにより、上記ステップＳＢ７と同様にシャッタ扉２１が閉作動し、指静脈検出部４の検出面５がシャッタ扉２１で自動的に覆われ、これを検知した現金自動預払機１はステップＳＢ９へ移行する。
その後のステップＳＢ９の作動は、上記実施例１のステップＳ９の作動と同様であるのでその説明を省略する。
【００４４】
以上説明したように、本実施例では、指静脈検出部の検出面を覆う一対のシャッタ扉をその合せ部を押圧およびその押圧の解除により自動的に開閉するようにしたことによって、顧客はシャッタ扉の合せ部を押圧するだけで、開いたシャッタ扉をガイドとして露出した指静脈検出部の検出面の適正な位置に照合する指を容易にかざすことができ、指や爪の長短に関わらずに指静脈の検出を正確に行うことが可能になり、顧客に不快感を与えることを防止することができると共に、シャッタ扉を閉め忘れることがなくなり、未使用時における埃の付着や、いたずらによる皮脂の付着等による検出面の汚れや、いたずらによる検出面の傷つき等を防止して指静脈の検出時における誤認識を防止することができる。
【００４５】
なお、本実施例では、シャッタ扉をバネ部材により自動的に開閉するとして説明したが、電動駆動源によりシャッタ扉を自動的に開閉するように構成し、実施例１のステップＳ３およびステップＳ７、Ｓ８と同様にしてシャッタ扉を自動制御により開閉するようにしてもよい。
上記各実施例においては、指情報検出装置を指静脈検出装置であるとして説明したが、指情報検出装置は前記に限らず、指紋検出装置であってもよい。指紋検出装置においても上記各実施例と同様の効果を得ることができると共に、検出面シャッタに実施例１で説明した刷毛またはブラシを設ければ、指紋検出時に検出面に付着した皮脂等の汚れを清浄な状態に保つことができる。
【００４６】
また、自動取引装置は現金自動預払機であるとして説明したが、自動取引装置は前記に限らず、無人契約機等であってもよい。要は顧客との間で自動で取引を行うものであればどのような自動取引装置に適用しても本発明と同様の効果を得ることができる。
更に、本発明の指情報検出装置を実装する装置は、上記の自動取引装置に限らず、機密情報等を取扱う室に入出するドア等に設けた本人確認装置等であってもよい。要は指情報を用いて顧客を本人と確認する装置であれば、どのような装置であっても本発明を適用すれば上記と同様の効果を得ることができる。
【図面の簡単な説明】
【００４７】
【図１】実施例１の現金自動預払機を示す斜視図
【図２】実施例１の指静脈検出装置を示す斜視図
【図３】実施例１の指静脈検出装置の作動を示す説明図
【図４】実施例１の指静脈認証処理を示すフローチャート
【図５】実施例２の指静脈検出装置を示す斜視図
【図６】実施例２の指静脈検出装置の作動を示す説明図
【図７】実施例２の指静脈認証処理を示すフローチャート
【図８】実施例３の指静脈検出装置を示す斜視図
【図９】実施例３の指静脈検出装置の断面を示す説明図
【図１０】実施例３の指静脈検出装置の作動を示す説明図
【図１１】実施例３の指静脈認証処理を示すフローチャート
【符号の説明】
【００４８】
１    現金自動預払機
１ａ  パネル
２    顧客操作部
３    指静脈検出装置
４    指静脈検出部
５    検出面
６    検出面シャッタ
７    駆動機構
８    窓部
１１  開閉スイッチ
２１  シャッタ扉
２２  保護カバー
２２ａ、２２ｂ  側面
２３  回転支点
２４  支持穴
２５  合せ部
２６  バネ部材
【図１】
2007080121.tif 000003
【図２】
2007080121.tif 000004
【図３】
2007080121.tif 000005
【図４】
2007080121.tif 000006
【図５】
2007080121.tif 000007
【図６】
2007080121.tif 000008
【図７】
2007080121.tif 000009
【図８】
2007080121.tif 000010
【図９】
2007080121.tif 000011
【図１０】
2007080121.tif 000012
【図１１】
2007080121.tif 000013